(57)【要約】【課題】  トランスの２次側巻線がオープンまたはショートによって非正常的になる場合に動作を遮断する電源回路の保護装置を提供する。【解決手段】  整流された直流電圧が１次側コイルに印加されて巻線比の相異なる２次側コイルに異なる電圧を誘起させるトランスと、前記トランスの２次側コイルを通じて出力される電圧を整流し、かつ平滑にして出力する出力部と、前記出力部の出力電圧をフィードバックしてデューティサイクルの調整されたＰＷＭ信号を出力するＰＷＭ制御部と、前記トランスの２次側コイルに誘起された電圧を感知する電圧感知部と、前記電圧感知部で感知された電圧と第１基準電圧の干渉をブロッキングするブロッキング部と、前記第１基準電圧の変動値と第２基準電圧とを比較して前記ＰＷＭ制御部の動作オン／オフ決定信号を出力する比較部とを含む。これにより、トランスの数に関係なくトランスの２次側巻線がオープンまたはショートによって非正常的な場合、動作を遮断して電源回路及びその周辺回路を保護しうる。【選択図】      図３ 
2005033994.tif 000002
【特許請求の範囲】
【請求項１】
整流された直流電圧が１次側コイルに印加されて巻線比の相異なる２次側コイルに異なる電圧を誘起させるトランスフォーマと、
前記トランスフォーマの２次側コイルを通じて出力される電圧を整流し、かつ平滑にして出力する出力部と、
前記出力部の出力電圧をフィードバックしてデューティサイクルの調整されたＰＷＭ信号を出力するＰＷＭ制御部と、
前記トランスフォーマの２次側コイルに誘起された電圧を感知する電圧感知部と、
前記電圧感知部で感知された電圧と第１基準電圧の干渉をブロッキングするブロッキング部と、
前記第１基準電圧の変動値と第２基準電圧とを比較して前記ＰＷＭ制御部の動作オン／オフ決定信号を出力する比較部とを含む電源回路の保護装置。
【請求項２】
前記電圧感知部は、
１つ以上の整流ダイオードを含み、前記整流ダイオードのアノード端子は前記トランスフォーマの２次側コイルに連結されて前記トランスフォーマの２次側コイルから受信された電圧を整流してカソード端子に出力し、前記カソード端子から出力される電圧を抵抗で分圧して感知電圧に出力することを特徴とする請求項１に記載の電源回路の保護装置。
【請求項３】
前記ブロッキング部は、
アノード端子が前記第１基準電圧端子に連結され、カソード端子が前記電圧感知部の出力電圧端子に連結されたダイオードよりなることを特徴とする請求項１に記載の電源回路の保護装置。
【請求項４】
前記ブロッキング部のダイオード数は前記電圧感知部の出力電圧数と同一であることを特徴とする請求項３に記載の電源回路の保護装置。
【請求項５】
前記比較部は、
前記第１基準電圧が前記電圧感知部で感知された電圧より高い場合、前記ＰＷＭ制御部の動作を停止させる比較結果信号を出力することを特徴とする請求項１に記載の電源回路の保護装置。
【発明の詳細な説明】
【技術分野】
【０００１】
本発明は電子機器に電源を供給するスイッチングモード電源供給器（以下、ＳＭＰＳと表記する）に係り、特にトランスフォーマの２次側巻線がオープンまたはショートによって非正常的になる場合に動作を遮断する電源回路の保護装置に関する。
【背景技術】
【０００２】
一般的にＰＷＭ（パルス幅変調）方式を採用するＳＭＰＳはＰＷＭ制御部を用いて電源の１次側でラインレギュレーションと電源の２次側で負荷レギュレーションとを実現して電子機器の電源を制御した。
【０００３】
一般的にＳＭＰＳは常用交流電源を直接整流し、フィルターリングして直流電源を得て、スイッチングモードを用いてこの直流電圧を高周波数の方形波に変換する作用を行う。
【０００４】
また、方形波の電圧を一定巻線比を有する絶縁変圧器に印加した後、２次側に現れた電圧波形を整流し、かつフィルターリングして電圧を直流専用に変換する作用を行う。ここで、負荷に一定の直流電圧を供給するためにスイッチング用の半導体素子のオン／オフ時間を調節するように構成されている。
【０００５】
ＰＷＭ制御部により制御されるスイッチング部の出力信号から電流を感知してラインレギュレーションを行い、電源２次側の負荷のうち現在の端子のコイルから誘起される電圧の変動を検出して負荷レギュレーションを行い、ラインレギュレーション及び負荷レギュレーションの結果をＰＷＭ制御部にフィードバックさせて電源２次側の電圧を補償した。
【０００６】
図１は、従来のスイッチングモード電源供給装置の構成を示すブロック図であって、交流入力部１００、整流部１０１、トランスフォーマ１０２、スイッチング部１０３、ＰＷＭ制御部１０４、電流感知部１０５、出力部１０６、初期駆動部１０７より構成される。
【０００７】
交流入力部１００は外部から交流電圧を入力して整流部１０１に印加し、整流部１０１は交流入力部１００から印加された交流電圧を直流電圧に整流し、直流電圧をトランスフォーマ１０２の１次側コイルに出力する。
【０００８】
トランスフォーマ１０２は整流部１０１から直流電圧を入力され、スイッチング部１０３から印加されるスイッチング制御信号によってスイッチングされてトランスフォーマ１０２の２次側コイルに所定の電圧を誘起させる。
【０００９】
出力部１０６はトランスフォーマ１０２の２次側コイルに誘起された電圧を整流し、かつ平滑にして所定の電圧Ｖｏｕｔを出力する。出力部１０６はトランスフォーマ１０２の２次側コイルに誘起された電圧を整流し、かつ平滑にするための整流用のダイオードＤ１と平滑用のコンデンサーＣ２とで構成される。
【００１０】
スイッチング部１０３はＦＥＴ（電界効果トランジスタ）のようなスイッチング素子で構成され、ＰＷＭ制御部１０４から出力されるＰＷＭ信号によってオン／オフ時間が制御される。したがって、スイッチング部１０３はＰＷＭ制御部１０４から出力されるＰＷＭ信号によりトランスフォーマ１０２の動作をスイッチングさせる。電流感知部１０５はスイッチング部１０３の出力電流を感知し、感知された電流をＰＷＭ制御部１０４に印加する。
【００１１】
ＰＷＭ制御部１０４は出力部１０６から出力される電圧Ｖｏｕｔを感知して発生した電圧エラーを受信し、電流感知部１０５を通じて感知されたスイッチング部１０３の出力電流を受信し、デューティ比が調整されたＰＷＭ信号をスイッチング部１０３に出力する。
【００１２】
初期駆動部１０７は初期交流入力電圧を整流してＰＷＭ制御部１０４の初期駆動のための駆動電圧を提供する。
【００１３】
このようなスイッチングモード電源供給装置の説明が特許文献１に記載されている。
【００１４】
一般に、ＰＤＰの電源供給装置ではＳｕｓｔａｉｎ用の電源に供給される高い電圧と高い負荷電流によって、図１に示されたように、１つのトランスフォーマではない２つのトランスフォーマを用いて電源を分配している。しかし、２トランスフォーマのうち何れか１つのトランスフォーマの電圧が一定電圧以下にダウンしたり、２トランスフォーマのバランスが一致しない場合、１トランスフォーマで２トランスフォーマの容量をカバーせねばならない問題点が発生する。
【特許文献１】米国特許第６，５１０，０６６号公報
【発明の開示】
【発明が解決しようとする課題】
【００１５】
本発明が解決しようとする技術的な課題は、電源回路に備わったトランスフォーマ（以下トランスという）の数に関係なくトランスの２次側巻線がオープンまたはショートによって非正常的な場合、動作を遮断して電源回路及びその周辺回路を保護するための電源回路の保護装置を提供するところにある。
【課題を解決するための手段】
【００１６】
前記技術的な課題を解決するための電源回路の保護装置は、整流された直流電圧が１次側コイルに印加されて巻線比の相異なる２次側コイルに異なる電圧を誘起させるトランスと、前記トランスの２次側コイルを通じて出力される電圧を整流し、かつ平滑にして出力する出力部と、前記出力部の出力電圧をフィードバックしてデューティサイクルの調整されたＰＷＭ信号を出力するＰＷＭ制御部と、前記トランスの２次側コイルに誘起された電圧を感知する電圧感知部と、前記電圧感知部で感知された電圧と第１基準電圧の干渉をブロッキングするブロッキング部と、前記第１基準電圧の変動値と第２基準電圧とを比較して前記ＰＷＭ制御部の動作オン／オフ決定信号を出力する比較部とを含むことが望ましい。
【００１７】
本発明において、前記電圧感知部は、１つ以上の整流ダイオードを含み、前記整流ダイオードのアノード端子は前記トランスの２次側コイルに連結されて前記トランスの２次側コイルから受信された電圧を整流してカソード端子に出力し、前記カソード端子から出力される電圧を抵抗で分圧して感知電圧に出力することを特徴とする電源回路の保護装置。
【００１８】
本発明において、前記ブロッキング部は、アノード端子が前記第１基準電圧端子に連結され、カソード端子が前記電圧感知部の出力電圧端子に連結されたダイオードよりなることを特徴とする。
【００１９】
本発明において、前記ブロッキング部のダイオード数は前記電圧感知部の出力電圧数と同一であることを特徴とする。
【００２０】
本発明において、前記比較部は、前記第１基準電圧が前記電圧感知部で感知された電圧より高い場合、前記ＰＷＭ制御部の動作を停止させる比較結果信号を出力することを特徴とする。
【発明の効果】
【００２１】
本発明によれば、トランスの数に関係なくトランスの２次側巻線がオープンまたはショートによる非正常的な動作を遮断して電源回路及びその周辺回路を保護しうる。
【発明を実施するための最良の形態】
【００２２】
以下、添付した図面を参照して本発明を詳細に説明する。
【００２３】
図２は、第１実施例に係る電源回路の保護装置の構成を示すブロック図であって、交流入力部２００、整流部２０１、トランス２０２、スイッチング部２０３、ＰＷＭ制御部２０４、電流感知部２０５、初期駆動部２０６、出力部２０７、２０８、電圧感知部２０９、ブロッキング部２１０、比較部２１１で構成される。
【００２４】
次いで、図２を参照して本発明を詳細に説明する。
【００２５】
交流入力部２００は外部から交流電圧を入力して整流部２０１に印加し、整流部２０１は交流入力部２００から印加された交流電圧を直流電圧に整流し、直流電圧をトランス２０２の１次側コイルに出力する。
【００２６】
トランス２０２は整流部２０１から直流電圧を入力され、スイッチング部２０３から印加されるスイッチング制御信号によってスイッチングされてトランス２０２の２次側コイルに所定電圧を誘起させる。
【００２７】
出力部２０７、２０８はトランス２０２の２次側コイルに誘起された電圧を整流し、かつ平滑にして所定の電圧ＶＡ、ＶＢを出力する。出力部２０７、２０６はトランス２０２の２次側コイルに誘起された電圧を整流し、かつ平滑にするための整流用ダイオードＤ５、Ｄ６と平滑用コンデンサーＣ３、Ｃ４で構成される。
【００２８】
スイッチング部２０３はＦＥＴのようなスイッチング素子Ｑ１で構成され、ＰＷＭ制御部２０４から出力されるＰＷＭ信号によってオン／オフ時間が制御される。したがって、スイッチング部２０３はＰＷＭ制御部２０４から出力されるＰＷＭ信号によりトランス２０２の動作をスイッチングさせる。電流感知部２０５はスイッチング部２０３の出力電流を感知し、感知された電流をＰＷＭ制御部２０４に印加する。
【００２９】
ＰＷＭ制御部２０４は出力部２０７、２０８から出力される電圧ＶＡ、ＶＢを感知して電圧エラーを発生させて受信し、電流感知部２０５を通じて感知されたスイッチング部２０３の出力電流を受信し、デューティ比が調整されたＰＷＭ信号をスイッチング部２０３に出力する。
【００３０】
初期駆動部２０６は初期交流入力電圧を整流してＰＷＭ制御部２０４の初期駆動のための駆動電圧を提供する。
【００３１】
電圧感知部２０９はトランス２０２の２次側コイルに誘起された電圧を感知する。電圧感知部２０９は第１及び第２電圧検出用の整流ダイオードＤ１、Ｄ２と電圧分圧用抵抗Ｒ６〜Ｒ９及びコンデンサーＣ５、Ｃ６より構成される。
【００３２】
第１及び第２電圧検出用の整流ダイオードＤ１、Ｄ２のアノード端子はトランス２０２の２次側コイルに連結されている。第１電圧検出用の整流ダイオードＤ１のカソード端子に出力される整流電圧は抵抗Ｒ６及びＲ７で分圧されて第１検出電圧を出力する。第２電圧検出用の整流ダイオードＤ２のカソード端子に出力される整流電圧は抵抗Ｒ８及びＲ９で分圧されて第２検出電圧を出力する。
【００３３】
ブロッキング部２１０は電圧感知部２０９から出力される第１検出電圧及び第２検出電圧と第１基準電圧の干渉をブロッキングする。ブロッキング部２１０は第３及び第４ブロッキングダイオードＤ３、Ｄ４で構成され、ブロッキングダイオードの数は電圧検出用の整流ダイオードの数と同一である。
【００３４】
第３ブロッキングダイオードＤ３のアノード端子は第１基準電圧Ｖｒｅｆ１端子に連結され、カソード端子は電圧感知部２０９の第１電圧検出用の整流ダイオードＤ１の出力端子に連結されている。第４ブロッキングダイオードＤ４のアノード端子は第１基準電圧Ｖｒｅｆ１端子に連結され、カソード端子は電圧感知部２０９の第２電圧検出用の整流ダイオードＤ２の出力端子に連結されている。第３及び第４ブロッキングダイオードＤ３、Ｄ４のアノード電圧をカソード電圧より高く第１基準電圧Ｖｒｅｆ１に設定されている。
【００３５】
比較部２１１は第１基準電圧Ｖｒｅｆ１の変動値と第２基準電圧とを比較し、その比較結果の信号でシステムが制御される。特に本願発明では、比較部２１１の結果信号でＰＷＭ制御部２０４の動作オン／オフが決定される。比較部２１１は抵抗Ｒ１１及びキャパシタＣ７を通じて入力される第１基準電圧Ｖｒｅｆ１及び第２基準電圧Ｖｒｅｆ２を比較するコンパレータで構成される。
【００３６】
トランス２０２の２次側巻線に連結された第１または第２電圧検出用の整流ダイオードＤ１、Ｄ２間に異常が発生すれば、すなわち、電圧が落ちる現象が発生すれば、第１または第２電圧検出用の整流ダイオードＤ１、Ｄ２でインターリンクされた電圧が印加されないか、低い電圧が誘起される。これにより、第３または第４ブロッキングダイオードＤ３、Ｄ４はショートされ、第１基準電圧Ｖｒｅｆ１が第３または第４ブロッキングダイオードＤ３、Ｄ４を通じて転位される。すなわち、第１基準電圧Ｖｒｅｆ１が一定値以下に変動される。
【００３７】
以後、コンパレータの第１入力端には一定値以下に変動された第１基準電圧Ｖｒｅｆ１が入力され、第２入力端にのみ第２基準電圧Ｖｒｅｆ２が入力される。コンパレータは比較結果信号のシステム制御信号を出力するが、ここではＰＷＭ制御部２０４の動作を中止させる比較結果信号を出力する。
【００３８】
トランス２０２の２次側巻線に連結された第１及び第２電圧検出用の整流ダイオードＤ１、Ｄ２間に異常が発生しなければ、すなわち、電圧が落ちる現象が発生しなければ、第１及び第２電圧検出用の整流ダイオードＤ１、Ｄ２で検出された電圧は第１基準電圧Ｖｒｅｆ１より高くなる。それにより、第３及び第４ブロッキングダイオードＤ３、Ｄ４はオープンされ、第１基準電圧Ｖｒｅｆ１は現状態値を維持する。
【００３９】
以後、コンパレータの第１入力端には１基準電圧Ｖｒｅｆ１が入力され、第２入力端には第２基準電圧Ｖｒｅｆ２が入力される。コンパレータは比較結果信号のシステム制御信号を出力するが、ここではＰＷＭ制御部２０４の動作を進行させる比較結果信号を出力する。
【００４０】
図３は、本発明の第２実施例に係る電源回路の保護装置の構成を示すブロック図であって、交流入力部３００、整流部３０１、トランス３０２、スイッチング部３０３、ＰＷＭ制御部３０４、電流感知部３０５、初期駆動部３０６、出力部３０７〜３０９、電圧感知部３１１、ブロッキング部３１２、比較部３１３で構成される。
【００４１】
次いで、図３を参照して本発明を詳細に説明する。
【００４２】
交流入力部３００は外部から交流電圧を入力して整流部３０１に印加し、整流部３０１は交流入力部３００から印加された交流電圧を直流電圧に整流し、直流電圧をトランス３０２の１次側コイルに出力する。
【００４３】
トランス３０２は整流部３０１から直流電圧を入力され、スイッチング部３０３から印加されるスイッチング制御信号によってスイッチングされてトランス３０２の２次側コイルに所定電圧を誘起させる。図３に示されたトランス３０２は図２のそれと異なって２つ備わっている。
【００４４】
出力部３０７〜３１０はトランス３０２の２次側コイルに誘起された電圧を整流し、かつ平滑にして所定の電圧ＶＡ、ＶＢ、ＶＣ、ＶＤを出力する。出力部３０７〜３１０はトランス３０２の２次側コイルに誘起された電圧を整流し、かつ平滑にするための整流用ダイオードＤ９〜Ｄ１２と平滑用コンデンサーＣ３〜Ｃ６で構成される。
【００４５】
スイッチング部３０３はＦＥＴのようなスイッチング素子Ｑ１で構成され、ＰＷＭ制御部３０４から出力されるＰＷＭ信号によってオン／オフ時間が制御される。したがって、スイッチング部３０３はＰＷＭ制御部３０４から出力されるＰＷＭ信号によりトランス３０２の動作をスイッチングさせる。電流感知部３０５はスイッチング部３０３の出力電流を感知し、感知された電流をＰＷＭ制御部３０４に印加する。
【００４６】
ＰＷＭ制御部３０４は出力部３０７〜３１０で出力される電圧ＶＡ、ＶＢ、ＶＣ、ＶＤを感知して電圧エラーを発生させて受信し、電流感知部３０５を通じて感知されたスイッチング部３０３の出力電流を受信し、デューティ比が調整されたＰＷＭ信号をスイッチング部３０３に出力する。
【００４７】
初期駆動部３０６は初期交流入力電圧を整流してＰＷＭ制御部３０４の初期駆動のための駆動電圧を提供する。
【００４８】
電圧感知部３１１はトランス３０２の２次側コイルに誘起された電圧を感知する。電圧感知部３１１は第１〜第４電圧検出用の整流ダイオードＤ１〜Ｄ４と電圧分圧用抵抗Ｒ６〜Ｒ１３及びコンデンサーＣ７〜Ｃ１０で構成される。第１〜第４電圧検出用の整流ダイオードＤ１〜Ｄ４のアノード端子はトランス３０２の２次側コイルに連結されている。
【００４９】
第１電圧検出用の整流ダイオードＤ１のカソード端子に出力される整流電圧は抵抗Ｒ６及びＲ７で分圧されて第１検出電圧を出力する。第２電圧検出用の整流ダイオードＤ２のカソード端子に出力される整流電圧は抵抗Ｒ８及びＲ９で分圧されて第２検出電圧を出力する。第３電圧検出用の整流ダイオードＤ３のカソード端子に出力される整流電圧は抵抗Ｒ１０及びＲ１１で分圧されて第３検出電圧を出力する。第４電圧検出用の整流ダイオードＤ４のカソード端子に出力される整流電圧は抵抗Ｒ１２及びＲ１３で分圧されて第４検出電圧を出力する。
【００５０】
ブロッキング部３１２は電圧感知部３１１から出力される第１検出電圧〜第４検出電圧と第１基準電圧の干渉をブロッキングする。ブロッキング部３１２は第５〜第８ブロッキングダイオードＤ５〜Ｄ８で構成され、ブロッキングダイオードの数は電圧検出用の整流ダイオードの数と同一である。
【００５１】
第５ブロッキングダイオードＤ５のアノード端子は第１基準電圧Ｖｒｅｆ１端子に連結され、カソード端子は電圧感知部３１１の第１電圧検出用の整流ダイオードＤ１の出力端子に連結されている。第６ブロッキングダイオードＤ６のアノード端子は第１基準電圧Ｖｒｅｆ１端子に連結され、カソード端子は電圧感知部３１１の第２電圧検出用の整流ダイオードＤ２の出力端子に連結されている。第７ブロッキングダイオードＤ７のアノード端子は第１基準電圧Ｖｒｅｆ１端子に連結され、カソード端子は電圧感知部３１１の第３電圧検出用の整流ダイオードＤ１の出力端子に連結されている。第８ブロッキングダイオードＤ８のアノード端子は第１基準電圧Ｖｒｅｆ１端子に連結され、カソード端子は電圧感知部３１１の第４電圧検出用の整流ダイオードＤ４の出力端子に連結されている。
【００５２】
第５〜第８ブロッキングダイオードＤ５〜Ｄ８のアノード電圧をカソード電圧より高く第１基準電圧Ｖｒｅｆ１に設定されている。
【００５３】
比較部３１３は第１基準電圧Ｖｒｅｆ１の変動値と第２基準電圧とを比較し、その比較結果信号でシステムが制御される。特に本願発明では、比較部３１３の結果信号でＰＷＭ制御部３０４の動作オン／オフが決定される。比較部３１３は抵抗Ｒ１５及びキャパシタＣ１１を通じて入力される第１基準電圧Ｖｒｅｆ１及び第２基準電圧Ｖｒｅｆ２を比較するコンパレータで構成される。
【００５４】
トランス３０２の２次側巻線に連結された第１〜第４電圧検出用の整流ダイオードＤ１〜Ｄ４のうち何れか１ダイオードに異常が発生すれば（例えば、Ｄ１に異常が発生したと仮定する）、すなわち、電圧が落ちる現象が発生すれば、第１電圧検出用の整流ダイオードＤ１にインターリンクされた電圧が印加されないか、低い電圧が誘起される。それにより、第５ブロッキングダイオードＤ５はショートされ、第１基準電圧Ｖｒｅｆ１が第５ブロッキングダイオードＤ５を通じて転位される。すなわち、第１基準電圧Ｖｒｅｆ１が一定値以下に変動される。
【００５５】
以後、コンパレータの第１入力端には一定値以下に変動された第１基準電圧Ｖｒｅｆ１が入力され、第２入力端にだけ第２基準電圧Ｖｒｅｆ２が入力される。コンパレータは比較結果信号のシステム制御信号を出力するが、ここではＰＷＭ制御部３０４の動作を中止させる比較結果信号を出力する。
【００５６】
トランス３０２の２次側巻線に連結された第１〜第４電圧検出用の整流ダイオードＤ１〜Ｄ４間に異常が発生しなければ、すなわち、電圧が落ちる現象が発生しなければ、第１〜第４電圧検出用の整流ダイオードＤ１〜Ｄ４で検出された電圧は第１基準電圧Ｖｒｅｆ１より高くなる。それにより、第５〜第８ブロッキングダイオードＤ５〜Ｄ８はオープンされ、第１基準電圧Ｖｒｅｆ１は現状態値を維持する。
【００５７】
次いで、コンパレータの第１入力端には１基準電圧Ｖｒｅｆ１が入力され、第２入力端には第２基準電圧Ｖｒｅｆ２が入力される。コンパレータは比較結果信号のシステム制御信号を出力するが、ここではＰＷＭ制御部３０４の動作を進行させる比較結果信号を出力する。
【００５８】
今まで本発明についてその望ましい実施例を中心に説明した。当業者ならば、本発明が、本発明の本質的な特性から外れない範囲で変形された形に具現されうることを理解できるであろう。したがって、開示された実施例は限定的な観点でなく説明的な観点で考慮されねばならない。本発明の範囲は前述した説明でなく、特許請求の範囲に現れており、それと同等な範囲内にある全ての違いは本発明に含まれたものと解釈されねばならない。
【産業上の利用可能性】
【００５９】
本発明はトランスの２次側巻線が非正常的な場合に動作を遮断する電源回路及びその周辺回路を保護し、電子機器に電源を供給するスイッチングモード電源供給器に用いられる。
【図面の簡単な説明】
【００６０】
【図１】従来のスイッチングモード電源供給装置の構成を示すブロック図である。
【図２】第１実施例に係る電源回路の保護装置の構成を示すブロック図である。
【図３】本発明の第２実施例に係る電源回路の保護装置の構成を示すブロック図である。
【符号の説明】
【００６１】
３００  交流入力部
３０１  整流部
３０２  トランス
３０３  スイッチング部
３０４  ＰＷＭ制御部
３０５  電流感知部
３０６  初期駆動部
３０７〜３０９  出力部
３１１  電圧感知部
３１２  ブロッキング部
３１３  比較部
【図１】
2005033994.tif 000003
【図２】
2005033994.tif 000004
【図３】
2005033994.tif 000005